(57)【特許請求の範囲】
【請求項１】
有価物及び非接触式ＩＣ回路を設けてなる景品カードにおいて、
当該景品カードは、その厚さ方向に第１カード部材及び第２カード部材を接合するとともに、それらの間に前記有価物及び前記非接触式ＩＣ回路を設けてなり、
前記非接触式ＩＣ回路は、フレキシブル基板にＩＣチップ及びアンテナを搭載してなるものとし、
前記第１カード部材及び前記第２カード部材は、前記第１カード部材に前記有価物及び前記非接触式ＩＣ回路を配置し、これに前記第２カード部材を接着剤で張り合わせて接合するものとし、
前記第１カード部材には、前記第２カード部材との接合面に囲まれた凹状の前記有価物の位置決め部、及び前記第２カード部材との接合面に囲まれた凹状の前記非接触式ＩＣ回路の位置決め部を設け、
前記第１カード部材に前記フレキシブル基板の一方の面を接着剤で接着するとともに、前記第２カード部材に前記ＩＣチップを接着剤で接着し、
前記第１カード部材と前記フレキシブル基板の一方の面との接着力、及び前記第２カード部材と前記ＩＣチップとの接着力が、前記フレキシブル基板に対する前記ＩＣチップの支持力よりも強力なものとなっており、前記第１カード部材と前記第２カード部材とを分離すると、前記ＩＣチップが前記フレキシブル基板から分離して、前記非接触式ＩＣ回路が破壊されるようにしたことを特徴とする景品カード。
【請求項２】
有価物及び非接触式ＩＣ回路を設けてなる景品カードにおいて、
当該景品カードは、その厚さ方向に第１カード部材及び第２カード部材を接合するとともに、それらの間に前記有価物及び前記非接触式ＩＣ回路を設けてなり、
前記非接触式ＩＣ回路は、フレキシブル基板にＩＣチップ及びアンテナを搭載してなるものとし、
前記第１カード部材及び前記第２カード部材は、前記第１カード部材に前記有価物及び前記非接触式ＩＣ回路を配置し、これに前記第２カード部材を接着剤で張り合わせて接合するものとし、
前記第１カード部材には、前記第２カード部材との接合面に囲まれた凹状の前記有価物の位置決め部、及び前記第２カード部材との接合面に囲まれた凹状の前記非接触式ＩＣ回路の位置決め部を設け、
前記第１カード部材に前記フレキシブル基板の一方の面を部分的に接着剤で接着するとともに、前記第２カード部材に前記フレキシブル基板の他方の面を部分的に接着剤で接着し、
前記フレキシブル基板には、前記第１カード部材に接着された部分と前記第２カード部材に接着された部分との間に位置する切込みを設け、
前記第１カード部材と前記第２カード部材とを分離すると、前記切込みを起点に前記フレキシブル基板が引き裂かれて、前記非接触式ＩＣ回路が破壊されるようにしたことを特徴とする景品カード。
【発明の詳細な説明】
【技術分野】
【０００１】
本発明は、貴金属等の有価物を設けてなる景品カードに関し、パチンコやスロットマシンで獲得した遊戯媒体に応じて交換される景品として利用されるものである。
【背景技術】
【０００２】
一般に、景品カードとしては、非接触式ＩＣ回路を設け、これに景品としての価値をはじめとする各種情報を記憶させたものが知られている。特許文献１乃至５には、この種の景品カードが開示されている。
【特許文献１】特開平５−１６５８０号公報
【特許文献２】特開平９−１８５６９２号公報
【特許文献３】特開２００４−２１９７７号公報
【特許文献４】特開２００６−２０９２２６号公報
【特許文献５】実用新案登録第３１２４５１９号公報
【発明の開示】
【発明が解決しようとする課題】
【０００３】
さて、非接触式ＩＣ回路を設けてなる景品カードは、その記録情報に基づいて流通されるため、有価物のみを偽物に置き換えるなどの偽造を防止する構成が重要とされる。
【０００４】
例えば、内部に設けられた有価物を取り出す場合は、景品カードを割って破壊することが通常であり、これを復元することは不可能である。しかし、偽造をしようと試みる者は、景品カードの構成部材を分離し、有価物を取り出した後に復元しようとする。景品カードの製造方法として、その厚さ方向に複数のカード部材を接合するとともに、それらの間に有価物及び非接触式ＩＣ回路を設ける構成がある。この構成を採用する場合は、カード部材の分離に対処すべく、更なる構造的工夫が求められている。
【０００５】
本発明は、かかる事情に鑑みてなされたものであり、その目的は、偽造を防止するという点でより合理的に構成された景品カードを提供することである。
【課題を解決するための手段】
【０００６】
本願第１請求項に記載した発明は、有価物及び非接触式ＩＣ回路を設けてなる景品カードにおいて、当該景品カードは、その厚さ方向に第１カード部材及び第２カード部材を接合するとともに、それらの間に前記有価物及び前記非接触式ＩＣ回路を設けてなり、前記非接触式ＩＣ回路は、フレキシブル基板にＩＣチップ及びアンテナを搭載してなるものとし、前記第１カード部材及び前記第２カード部材は、前記第１カード部材に前記有価物及び前記非接触式ＩＣ回路を配置し、これに前記第２カード部材を接着剤で張り合わせて接合するものとし、前記第１カード部材には、前記第２カード部材との接合面に囲まれた凹状の前記有価物の位置決め部、及び前記第２カード部材との接合面に囲まれた凹状の前記非接触式ＩＣ回路の位置決め部を設け、前記第１カード部材に前記フレキシブル基板の一方の面を接着剤で接着するとともに、前記第２カード部材に前記ＩＣチップを接着剤で接着し、前記第１カード部材と前記フレキシブル基板の一方の面との接着力、及び前記第２カード部材と前記ＩＣチップとの接着力が、前記フレキシブル基板に対する前記ＩＣチップの支持力よりも強力なものとなっており、前記第１カード部材と前記第２カード部材とを分離すると、前記ＩＣチップが前記フレキシブル基板から分離して、前記非接触式ＩＣ回路が破壊されるようにした構成の景品カードである。
【０００７】
本願第２請求項に記載した発明は、有価物及び非接触式ＩＣ回路を設けてなる景品カードにおいて、当該景品カードは、その厚さ方向に第１カード部材及び第２カード部材を接合するとともに、それらの間に前記有価物及び前記非接触式ＩＣ回路を設けてなり、前記非接触式ＩＣ回路は、フレキシブル基板にＩＣチップ及びアンテナを搭載してなるものとし、前記第１カード部材及び前記第２カード部材は、前記第１カード部材に前記有価物及び前記非接触式ＩＣ回路を配置し、これに前記第２カード部材を接着剤で張り合わせて接合するものとし、前記第１カード部材には、前記第２カード部材との接合面に囲まれた凹状の前記有価物の位置決め部、及び前記第２カード部材との接合面に囲まれた凹状の前記非接触式ＩＣ回路の位置決め部を設け、前記第１カード部材に前記フレキシブル基板の一方の面を部分的に接着剤で接着するとともに、前記第２カード部材に前記フレキシブル基板の他方の面を部分的に接着剤で接着し、前記フレキシブル基板には、前記第１カード部材に接着された部分と前記第２カード部材に接着された部分との間に位置する切込みを設け、前記第１カード部材と前記第２カード部材とを分離すると、前記切込みを起点に前記フレキシブル基板が引き裂かれて、前記非接触式ＩＣ回路が破壊されるようにした構成の景品カードである。
【発明の効果】
【０００８】
本発明によれば、偽造を防止するという点でより合理的に構成された景品カードを得ることができる。
【発明を実施するための最良の形態】
【０００９】
以下に、本発明の実施例を図面に基づいて説明する。図１乃至図３に示す本例の景品カード１は、有価物２００及び非接触式ＩＣ回路３００を内部に設けてなるものである。有価物２００としては、金又は銀といった貴金属の小片を採用している。
【００１０】
この景品カード１は、その厚さ方向に第１カード部材１１０及び第２カード部材１２０を接合して構成されている。有価物２００及び非接触式ＩＣ回路３００は、第１カード部材１１０及び第２カード部材１２０の間に設けられている。第１カード部材１１０及び第２カード部材１２０は、所定の形状に射出成形された合成樹脂製の部材であり、それらの一方には、有価物２００の位置決め部１１１及び非接触式ＩＣ回路３００の位置決め部１１２が設けられている。各カード部材１１０，１２０は、それらの一方に有価物２００及び非接触式ＩＣ回路３００を配置し、これに他方を接着剤で張り合わせて接合される。また、第１カード部材１１０及び第２カード部材１２０の少なくとも一方には、有価物２００を目視可能とする透明部１２１が設けられている。
【００１１】
非接触式ＩＣ回路３００は、フレキシブル基板３１０にＩＣチップ３２０及びアンテナ３３０を搭載してなるものである。フレキシブル基板３１０は、絶縁体からなるフィルム状の薄膜基板である。アンテナ３３０は、フレキシブル基板３１０の表面にプリント成形されている。
【００１２】
本例の場合、第１カード部材１１０及び第２カード部材１２０の接合において、第１カード部材１１０にフレキシブル基板３１０の一方の面を接着するとともに、第２カード部材１２０にＩＣチップ３２０を接着している。ＩＣチップ３２０は、フレキシブル基板３１０の他方の面に搭載されている。
【００１３】
そして、第１カード部材１１０と第２カード部材１２０とを分離すると、ＩＣチップ３２０がフレキシブル基板３１０から分離して、非接触式ＩＣ回路３００が破壊されるようにした。
【００１４】
すなわち、第１カード部材１１０とフレキシブル基板３１０の一方の面との接着力、及び第２カード部材１２０とＩＣチップ３２０との接着力が、フレキシブル基板３１０に対するＩＣチップの支持力よりも強力なものとなっており、各カード部材１１０，１２０の分離に伴い、ＩＣチップ３２０が強制的に破壊分離される構成となっている。
【００１５】
尚、図３には、非接触式ＩＣ回路３００に対する接着剤のスポットの一例を示しておく。点Ａは、第１カード部材１１０とフレキシブル基板３１０の一方の面とを接着する接着剤のスポットである。点Ｂは、第２カード部材１２０とＩＣチップ３２０とを接着する接着剤のスポットである。
【００１６】
本例の構成によると、第１カード部材と第２カード部材と分離して内部の有価物を取り出すと、非接触式ＩＣ回路が確実に破壊される。従って、有価物を偽物に置き換え復元するという行為をより確実に防止することが可能である。尚、本例における各部の構成は、特許請求の範囲に記載した技術的範囲において適宜に設計変更が可能であり、図例説明したものに限定されないことは勿論である。
【００１７】
次に、本発明の第２実施例を図４に基づいて説明する。本例の場合、第１カード部材１１０及び第２カード部材１２０の接合において、第１カード部材１１０にフレキシブル基板３１０の一方の面を部分的に接着するとともに、第２カード部材１２０にフレキシブル基板３１０の他方の面を部分的に接着している。
【００１８】
また、フレキシブル基板３１０には、第１カード部材１１０に接着された部分と第２カード部材１２０に接着された部分との間に位置する切込み３１１を設けている。
【００１９】
そして、第１カード部材１１０と第２カード部材１２０とを分離すると、切込み３１１を起点にフレキシブル基板３１０が引き裂かれて、非接触式ＩＣ回路３００が破壊されるようにした。
【００２０】
すなわち、第１カード部材１１０とフレキシブル基板３１０の一方の面との接着力、及び第２カード部材１２０とフレキシブル基板３１０の他方の面との接着力が、切込み３１１を起点とするフレキシブル基板３１０の引裂強さよりも強力なものとなっており、各カード部材１１０，１２０の分離に伴い、フレキシブル基板３１０がアンテナ３３０もろとも強制的に破壊分離される構成となっている。
【００２１】
尚、図４には、フレキシブル基板３１０に対する接着剤のスポットの一例を示しておく。点Ａは、第１カード部材１１０とフレキシブル基板３１０の一方の面とを接着する接着剤のスポットである。点Ｂは、第２カード部材１２０とフレキシブル基板３１０の他方の面とを接着する接着剤のスポットである。
【００２２】
本例の構成によっても、前述した実施例と同様に、有価物を偽物に置き換え復元するという行為をより確実に防止することが可能である。
【産業上の利用可能性】
【００２３】
本発明の景品カードは、パチンコやスロットマシンで獲得した遊戯媒体に応じて交換される景品として好適に利用することが可能である。
【図面の簡単な説明】
【００２４】
【図１】本発明の実施例に係り、（ａ）は景品カードを示す正面図、（ｂ）は（ａ）のＸ−Ｘ断面図である。
【図２】本発明の実施例に係り、景品カードの分解断面図である。
【図３】本発明の実施例に係り、非接触式ＩＣ回路の正面図である。
【図４】本発明の実施例に係り、非接触式ＩＣ回路の正面図である。
【符号の説明】
【００２５】
１    景品カード
１１０    第１カード部材
１１１    有価物の位置決め部
１１２    非接触式ＩＣ回路の位置決め部
１２０    第２カード部材
１２１    透明部
２００    有価物
３００    非接触式ＩＣ回路
３１０    フレキシブル基板
３１１    切込み
３２０    ＩＣチップ
３３０    アンテナ
【図１】
0005142377.tif 000002
【図２】
0005142377.tif 000003
【図３】
0005142377.tif 000004
【図４】
0005142377.tif 000005